【手続補正書】
【提出日】平成19年5月25日(2007.5.25)
【手続補正１】
【補正対象書類名】明細書
【補正対象項目名】全文
【補正方法】変更
【補正の内容】
【発明の詳細な説明】
【発明の名称】支持部材と取付け部材を結合するための装置
【技術分野】
【０００１】
本発明は、請求項１の上位概念（前置部）による装置に関する。即ち、支持部材と取付け部材とを結合する装置であって、結合部材と、受容部材と、係止部材とを有し、前記結合部材は、中間部材を介して相互に結合された２つのフランジディスク並びに係止構造を有し、前記受容部材は複数のアームを有し、該複数のアームは開放されたリング状の受容エレメントと結合しており、かつそれぞれ受容エレメントから外側へ外側固定領域まで伸長しており、前記係止部材は別の係止構造を備えており、該別の係止構造は結合部材の係止構造と、受容部材と係止部材との間の間隔を調整するために共働作用する形式の装置に関する。
【背景技術】
【０００２】
この種の装置はＵＳ６５９４８７０Ｂ１から公知である。公知の装置は結合部材を有し、この結合部材はアダプタを介して相互に結合された２つのフランジディスクを有する。さらに受容部材が設けられており、この受容部材は固定のために取付け部材に設けられており、ケージ状に構成されている。受容部材は、取付け部材とは反対の側に、ある程度側方に運動するために複数のアームを有しており、この複数のアームは内側でリング状に開放された受容エレメントと結合しており、外側の固定領域で受容部材の側壁と結合している。アームは直線状に構成されており、半径方向に受容エレメントとそれぞれの固定領域との間で伸長している。受容エレメントにはアダプタが挿入可能であり、これによりフランジディスクはアームを受容エレメントの領域で包囲する。さらに結合部材は係止構造によって構成されている。最後に、公知の装置は係止部材を有しており、この係止部材は支持部材と結合可能である。係止部材は別の係止構造によって構成されており、この係止構造は結合部材と係止部材との間の間隔を調整するために結合部材の係止構造と共働する。
【０００３】
ＤＥ１９８０７９５３Ａ１から、取付け部材を支持部材と結合するための装置が公知であり、この支持部材は受容部材を有する。この装置の受容部材は、取付け部材と結合可能なベースプレートにより構成されている。ベースプレートの中央領域は円形の切欠部により構成されており、切欠部の縁部から比較的細い３つのアームがスパイラル状に内側へ伸長している。アームは内側で、閉じた内部リングに終端している。ベースプレートの、取付け部材とは反対の側では、受容部材がポケットにより構成されており、このポケットには結合部材のアダプタを包囲する案内スリットを介して、結合部材の円形フランジディスクを挿入することができる。フランジディスク並びにアダプタの半径方向の大きさは、ポケット並びに案内スリットの大きさよりも小さい。結合部材はポケットの外に配置されたさらなるフランジディスクを有し、ここでベースプレートと平行のポケットの壁がフランジディスク間に挿入されている。ポケットの内部に配置されたフランジディスクの、ベースプレートに向いた側では、ドーム状の隆起部が形成されており、この隆起部は結合部材を受容部材に挿入した後、内側リング内で位置決めされる。このことにより、結合部材は公差補償のために２つの方向で側方にずらすことができる。
【特許文献１】ＵＳ６５９４８７０Ｂ１
【特許文献２】ＤＥ１９８０７９５３Ａ１
【発明の開示】
【発明が解決しようとする課題】
【０００４】
本発明の課題は、冒頭に述べた形式の装置において、高い安定性を有し、比較的大きな引っ張り力を加えることができ、構造が簡単で良好な公差補償が可能であるように構成することである。
【課題を解決するための手段】
【０００５】
この課題は冒頭に述べた形式の装置において、請求項１の特徴部分の構成によって解決される。即ち、アームは、受容エレメントと外側固定領域とを直接結ぶ接続ラインに対して少なくとも区間的に曲げられて配置されると共に、受容部材のプレート状領域の丸い内側縁部に固着されており、該内側縁部は該フランジディスクの外径よりも小さい内径を有し、該フランジディスク（複数）は縁部側でプレート状領域を包囲する、ことを特徴とする。
【０００６】
本発明の装置で、アームが少なくとも部分的に曲げられており、フランジディスクがアーム、並びに縁部側でプレートの領域を包囲し、プレートの当該領域には外側でアームが固着されていることによって、良好に公差補償することができ、しかも全体として３つの次元で受容部材と結合部材との間で非常に安定しており、かつ比較的大きな引っ張り力に耐え得る結合が達成される。
【０００７】
本発明のさらなる有利な構成は従属請求項の対象である。
【０００８】
すなわち、上記装置の受容部材は扁平なプレートとして構成されていることが好ましい。
【０００９】
また、少なくとも１つのアームは少なくとも２つのアーム区間を有し、該アーム区間は、受容エレメントと外側固定領域との直接の接続ラインに対して曲げられていることが好ましい。
【００１０】
また、前記複数のアーム区間は相互に直角に配向されていることが好ましい。
【００１１】
また、受容エレメントは、実質的にリング状の内側リングとして構成されており、該内側リングは導入開口部を有し、該導入開口部には縁部側に半径方向に配向された案内ノーズと、ロックノーズとが配置されており、該ロックノーズは導入開口部の方向に弾性である係止端部を有することが好ましい。
【００１２】
また、係止構造は係止ノーズを、そして他方の係止構造は周回する係止リングを（それぞれ）有することが好ましい。
【００１３】
さらに、係止ノーズは長手軸方向に相互に間隔をおいて配置されており、該間隔は係止リング間の間隔の半分に相当することが好ましい。
【００１４】
図面を参照した本発明の有利な実施例の以下の説明から、さらなる有利な構成および利点が明らかとなる。
【００１５】
図１は、取付け部材１、結合部材２および係止部材３を有する本発明の有利な一実施例の斜視展開図である。
【００１６】
係止（アンカー）部材３は実質的にシリンダ状の係止（アンカー）スリーブ４を有し、この係止スリーブは相互に対向し、側方に張り出す２つの係止フランジ５を備える。係止スリーブ４は図１には図示されていない支持体部材の切欠部へ、係止（アンカー）フランジ５が支持体部材と係合することにより挿入することができる。さらに係止部材３は傘６を備える。この傘６は係止部材３の導入方向で、係止スリーブ４の裏側端部に配置されており、係止スリーブ４から半径方向に張り出している。傘６は係止スリーブ４の自由端の方向に開放している。係止スリーブ４の自由端には内側へ曲げられたウェブ状の縁部舌部７が配置されており、この縁部舌部はその外側端部に係止構造を形成する係止ノーズ８を備える。
【００１７】
結合部材２はボルトシャフト９を有し、このボルトシャフトでは自由端に前方に向かって傾斜（コーン状に形成）された導入先端１０が構成されている。導入先端１０の領域にボルトシャフト１０は複数の係止リング１１を有する。この係止リングは下で詳細に説明するように別の係止構造を形成し、ボルトシャフト１０を係止スリーブ４に導入する際に係止ノーズ８と共働作用する。係止リング１１に対向する（他の）端部では、ボルトシャフト１０に複数の柔軟なパッキンリング１２が形成されている。導入先端１０に対向する端部に結合部材２は、第１外側フランジディスク１３と第２内側フランジディスク１４を有する。これらのフランジディスクは円形に構成されており、結合部材２の長手軸方向に相互に間隔をおいて配置されている。これによりフランジディスク１３，１４間には中間空間１５が形成されている。
【００１８】
受容部材１は図１に示した実施例では製造技術的に非常に有利に全体で扁平で矩形のプレート１６として構成されており、その厚さは実質的に結合部材２の両フランジディスク１３，１４間の間隔に相当する。比較的短い縁部側に平行に配向されて、プレート１６には第１長穴１７と第２長穴１８が形成されており、これらの長穴は図１に図示しない取付け部材の相応に寸法構成された結合ウェブを受容するように構成されている。
【００１９】
プレート１６の中央には複数のアーム１９が形成されており、これらのアームは外側でプレート１６の円形内側縁部（内壁面）２０に固着（結合）されている。この円形内側縁部２０は、２つのフランジディスク１３，１４の外径よりも小さい内径を有する。これらのアームはさらに半径方向に対して（折）曲げられて内方へ延在しており、受容エレメントとして用いられる開放した（開口部を有する）内側リング２１と結合している。内側リング２１は導入開口部２２に隣接して案内ノーズ２３並びにロックノーズ２５を有する。案内ノーズ２３は傾斜しており、実質的に半径方向に配向されている。またロックノーズ２５は折曲げられており、弾性の係止端部２４を以て内側リング２１の方向を指している。プレート１６には導入開口部２２に対向して、比較的短い縁部側に対し実質的に平行に配向された導入スリット２６が設けられており、この導入スリットは内側縁部２０からプレート１６の外側まで伸長している。
【００２０】
図２は、図１の実施例において結合部材２の２つのフランジディスク１３、１４を結合する中間部材２７の断面を、取付け部材１に向かって見た図である。図２によれば、中間部材２７は導入スリット２６と導入開口部２２を貫通して案内された後、内側リング２１の内部に配置され、このときロックノーズ２５の係止端部２４は弾性的に撓んで（中間部材を）受容の後（nach Einfedern）中間部材２７を後方からつかむよう係合し、これにより中間部材を滑り落ちないように確保する。
【００２１】
さらに図２から、図示の実施例で各アーム１９が、内側縁部２０並びに内側リング２１におけるそれぞれのアーム１９の固定領域を直接結ぶ接続ラインに対して曲げられた外側アーム区間２８と、同様にこの直接の接続ラインに対して曲げられた内側アーム区間２９を有することが分る。これらのアーム区間は相互に互いにほぼ直角に配向されている。これにより各アーム１９は内側リング２１に、比較的大きな運動性をプレート１６の面内で与え、これにより結合部材２は公差補償（吸収）のために、結合部材２の長手軸方向に対して直角の２つの方向に運動することができる。２つのフランジディスク１３、１４はプレート１６を内側縁部２０の領域で包囲するから、ここではさらに高い横方向安定性が得られ、結合部材２は長手軸方向において強固に受容部材１と結合する。
【００２２】
図３は、図１および図２による実施例の縦断面図であり、ここでは受容部材１と結合した取付け部材３０、および係止部材３と結合した支持部材３１が装着されている。さらにここではボルトシャフト１０が係止（アンカー）スリーブ４に導入されているが、係止構造の係止ノーズ８と係止リング１１は相互に係合していない。図３から、縁部舌部７に形成された係止ノーズ８はペアで相互に対向して、異なる長手位置に配置されていることが分る。それらの間隔はそれぞれ係止リング１１の半分の間隔に相当する。これにより受容部材１と係止（アンカー）部材３との相対位置を長手軸方向で比較的精密に段付けることができる。
【００２３】
さらに図３から、ボルトシャフト９を係止スリーブ４に完全に導入した後、パッキンリング１２はラビリンスパッキンの形態を形成し、一方、傘６は支持部材（基材）３１の、取付け部材３０に向いた側に押し付けられ、これにより係止部材３を支持部材３１に受容するために設けられた切欠部を密閉する。これにより支持部材３１は非常に良好に密閉される。
【００２４】
最後に図３から、結合部材２の２つのフランジディスク１３、１４が受容部材１の９プレート１６と係合することによって形成された結合は、係止ノーズ８と係止リング１１のロックを分離するのに必要な比較的高い引っ張り力に対しても耐え得ることが分る。
【図面の簡単な説明】
【００２５】
【図１】図１は、取付け部材、結合部材および係止部材を有する本発明の有利な一実施例の斜視展開図である。
【図２】図２は、図１の実施例において、結合部材のアダプタの断面を、取付け部材に向かって見た図である。
【図３】図３は、支持部材と取付け部材による取付け状況での、図１と図２の実施例の縦断面図である。